(57)【要約】【課題】小型でも高精度で照準が容易な測量機用照準装置を提供する。【解決手段】この測量機用照準装置（３０）は、光学照準器（８）と、光学照準器の後方の光軸（２０）上に配置された照門（３４）を備える。照門は、光学照準器から後方に突設された鏡筒突設部（３２）の後端に設けられる。【選択図】図１
2010071683.tif 000002
【特許請求の範囲】
【請求項１】
光学照準器と、前記光学照準器の後方で前記光学照準器の光軸上に配置された照門とを備えた測量機用照準装置。
【請求項２】
前記光学照準器から後方に突設した鏡筒突設部を設け、該鏡筒突設部の後端に前記照門を設けた請求項１に記載の測量機用照準装置。
【発明の詳細な説明】
【技術分野】
【０００１】
本発明は、測量機用照準装置（以下、単に照準装置と記載する）に関する。
【背景技術】
【０００２】
測量機に備えられる視準望遠鏡は、高倍率で視野が狭いため、ターゲット等の目標を簡単に視準することができない。このため、測量機の視準望遠鏡には、予め目標付近に視準望遠鏡を向けるために照準装置が取り付けられる。
【０００３】
このような照準装置としては、図４に示したような光学照準器８が、下記特許文献１に開示されている。
【０００４】
この光学照準器８は、鏡筒１０の前端２６に光拡散板２２と三角形や十字線等の照準マーク１８の描かれたマーク板１６を配置し、鏡筒１０の後端に凸レンズの接眼レンズ２４を配置したものである。鏡筒１０の下部には、測量機へねじ等で取り付けるため、ねじ孔１４を有する取付板１２が設けられる。光学照準器８では、マーク板１６の中心に置かれた照準マーク１８上の１点から出た光が接眼レンズ２４で略平行光線にされるので、光学照準器８から後方に適当な距離を置いて覗けば、照準マーク１８が光学照準器８の光軸２０上で遠方に見える。このため、図５に示したように、照準マーク１８と遠方の目標３とを同時に鮮明に見ることができるから、光軸２０上で遠方に見える照準マーク１８を目標３に合わせる照準作業は容易であり、しかも、小型の光学照準器８でも高精度の照準ができる。
【０００５】
比較的低倍率の視準望遠鏡を備えた測量機では、図６に示したように、視準望遠鏡５に照星２及び照門４を取り付けた照準器６が用いられることもある。照星２及び照門４を用いた照準器６は、ライフル銃等に用いられる照準器と同じ原理であり、照門４の後方に観測者の目７を置き、目標３と照星２と照門４とが一直線上に位置するように視準望遠鏡５を回転させることによって、目標３を照準するもので、非常に簡単な構成で、照準が容易である。
【特許文献１】特開１０−１３２５６６号公報
【発明の開示】
【発明が解決しようとする課題】
【０００６】
ところで、照星２及び照門４を用いた照準器６は、目標３と照星２と照門４との位置関係を把握し易く、照準が容易である。しかし、目標３、照星２、照門４までの距離が異なるため、目標３を注視すると照星２がぼけ、照星２を注視すると目標３がぼけるように、目標３と照星２と照門４を同時に鮮明に見ることができないため、照準精度が悪いという問題があった。特に、小型の測量機では、照星２と照門４間の距離が短いことも精度を悪くしている。
【０００７】
一方、光学照準器８は、小型でも高精度の照準ができるが、光学照準器８の光軸２０から観測者の目７がずれると、照準マーク１８を見失うことになり、照星２及び照門４を用いた照準器６に比べて、照準作業が煩わしく、照準が容易でないという問題があった。
【０００８】
本発明は、前記問題を解決するため、小型でも高精度で照準が容易な測量機用照準装置を提供することを課題とする。
【課題を解決するための手段】
【０００９】
以上の課題を達成するために、請求項１に係る発明の測量機用照準装置は、光学照準器と、前記光学照準器の後方の光軸上に配置した照門とを備える。
【００１０】
請求項２に係る発明は、請求項１に係る発明の光学照準器において、前記光学照準器から後方に突設した鏡筒突設部を設け、該鏡筒突設部の後端に前記照門を設けた。
【発明の効果】
【００１１】
請求項１に係る発明によれば、光学照準器の後方の光軸上に照門を配置したので、照門の後方に適当な距離を置き、光学照準器と照門が重なって見える位置に目を置けば、略光軸上に目を位置させることができ、照準マークを見つけ易く、照準マークを見失っても再発見し易い。また、照準マークが光軸上の遠方に見えるため、照準マークと遠方の目標とを同時に鮮明に見ることができる。したがって、本発明の照準装置によれば、小型の照準装置でも高精度の照準ができ、しかも照準が容易である。
【００１２】
請求項２に係る発明によれば、さらに、光学照準器から後方に突設した鏡筒突設部を設け、該鏡筒突設部の後端に照門を設けて、光学照準器と照門とが一体化されているから、照門の位置調整が不要となって、照準装置の取り付けに要する時間が従来と同じで済む。
【発明を実施するための最良の形態】
【００１３】
まず、図１〜図３に基づいて、本発明の一実施例に係る照準装置について詳細に説明する。
【００１４】
図１に示したように、この照準装置３０は、光学照準器８の後端から光学照準器８の光軸２０と平行に鏡筒突設部３２を設け、この鏡筒突設部３２の後端に照門３４を設けている。光学照準器８の構成は、図４及び図５に示した従来のものと同じであるから、同じ部分に同じ符号を付すに止めて、説明を省略する。鏡筒突設部３２は、断面形状と太さは特に限定されないが、光学照準器８の鏡筒１０と滑らかに連続し、破損し難い太さを確保し、かつ、光学照準器８の光軸２０の位置を把握し易くするため、鏡筒１０の略上半分を除いて略下半分を延長して構成する。照門３４は、図１に示したような三角形の他、図２の（Ａ）に示したような鏡筒１０と同心円であるリング形、図２の（Ｂ）に示したような逆三角形の切欠き等の適宜形状が可能である。
【００１５】
本実施例の照準装置３０によれば、光学照準器８の後方の光軸２０上に照門３４を配置したので、図３に示したように、光学照準器８と照門３４が重なって見える位置に目を置けば、略光軸２０上に目を位置させることができる。このため、照準マーク１８を見つけ易く、照準マーク１８を見失っても再発見し易く、照準が容易である。また、照門の後方の適当な距離から光学照準器８を除けば、接眼レンズ２４を通して照準マーク１８が光軸２０上の遠方に見えるため、照準マーク１８と遠方の目標３とを同時に鮮明に見ることができる。したがって、この照準装置３０によれば、小型の照準装置３０でも高精度の照準ができ、しかも照準が容易である。
【００１６】
また、この照準装置３０では、光学照準器８から後方に突設した鏡筒突設部３２を設け、鏡筒突設部３２の後端に照門３４を設けて、光学照準器８と照門３４とが一体化しているから、特別に照門３４の位置調整をする必要がなく、照準装置３０の取り付けに要する時間が従来と同じで済む。なお、照準装置３０は、視準望遠鏡５を反転させた場合でも照準できるように、視準望遠鏡５の上面と下面のそれぞれに設けられる。
【００１７】
ところで、本発明は、前記実施例に限られるものではなく、種々の変形が可能である。例えば、前記実施例では、光学照準器８と照門３４とが一体に構成されたが、光学照準器８と照門３４とは別体にしてもよい。この場合は、従来の光学照準器を備えた測量機に照門をビス等で固定するだけでよいから、既存の測量機を簡単に改造できる。また、さらに照準し易くするため、マーク板１６の後方から照準マーク１８を発光ダイオード等の照明装置で照明するようにしてもよい（実開昭５８−１２０９１５号公報参照）。さらに、照門３４も適宜照明装置で照明するようにしてもよい。
【図面の簡単な説明】
【００１８】
【図１】本発明の第１実施例に係る照準装置の斜視図である。
【図２】前記照準装置における照門の別の実施例を説明する斜視図である。
【図３】前記照準装置で照準する方法を説明する図である。
【図４】従来の光学照準器の斜視図である。
【図５】前記光学照準器で照準する方法を説明する図である。
【図６】従来の照星及び照門を用いた照準器を説明する図である。
【符号の説明】
【００１９】
８    光学照準器
２０    光軸
３０    測量機用照準装置
３２    鏡筒突設部
３４    照門
【図１】
2010071683.tif 000003
【図２】
2010071683.tif 000004
【図３】
2010071683.tif 000005
【図４】
2010071683.tif 000006
【図５】
2010071683.tif 000007
【図６】
2010071683.tif 000008